(57)【要約】【課題】欲しい商品やサービスを探す際の手間を省くことが可能な近距離無線を用いた情報交換システムを提供する。【解決手段】店舗サーバは手順Ｓ１にて近距離無線アンテナを通して店舗で在庫のある物品や現在提供可能なサービスの在庫や価格の一覧、及び店舗の位置を携帯端末に報知する。携帯端末は手順Ｓ１１で、上記の手順Ｓ１にて近距離無線部で取得した情報と事前にユーザが希望した物品もしくはサービスのリストとの照合を行う。携帯端末は手順Ｓ１１において合致する物品もしくはサービスがユーザａの購入希望個数、購入希望額に合致すると、手順Ｓ１２で、上記の鳴動や情報表示部への表示等にて条件に合致するものがあることをユーザに通知する。【選択図】      図４
2004343268.tif 000002
【特許請求の範囲】
【請求項１】
近距離無線を使用して相手装置が発信する情報を携帯端末で受信する近距離無線を用いた情報交換システムであって、
前記相手装置が発信する情報を自端末に予め設定された需要状況に応じて選別する選別手段を前記携帯端末に有することを特徴とする情報交換システム。
【請求項２】
前記選別手段で選別された情報を外部に報知する手段を前記携帯端末に含むことを特徴とする請求項１記載の情報交換システム。
【請求項３】
前記携帯端末に対して情報の報知及び通信のいずれかを行う手段を前記相手装置に含むことを特徴とする請求項１または請求項２記載の情報交換システム。
【請求項４】
前記携帯端末と前記相手装置との間で情報をやりとりして前記需要状況にて要求される物品及びサービスのいずれかを提供することを特徴とする請求項２または請求項３記載の情報交換システム。
【請求項５】
前記携帯端末と前記相手装置との間でやりとりされる情報は、少なくとも前記物品及びサービスの在庫状態及び価格を示すことを特徴とする請求項４記載の情報交換システム。
【請求項６】
近距離無線を使用して相手装置が発信する情報をで受信可能な携帯端末であって、前記相手装置が発信する情報を自端末に予め設定された需要状況に応じて選別する選別手段を有することを特徴とする携帯端末。
【請求項７】
前記選別手段で選別された情報を外部に報知する手段を含むことを特徴とする請求項６記載の携帯端末。
【請求項８】
前記相手装置との間でやりとりされる情報は、少なくとも前記物品及びサービスの在庫状態及び価格を示すことを特徴とする請求項６または請求項７記載の携帯端末。
【請求項９】
近距離無線を使用して相手装置が発信する情報を携帯端末で受信するための情報交換方法であって、前記携帯端末側に、前記相手装置が発信する情報を自端末に予め設定された需要状況に応じて選別するステップを有することを特徴とする情報交換方法。
【請求項１０】
前記携帯端末側に、前記需要状況に応じて選別された情報を外部に報知するステップを含むことを特徴とする請求項９記載の情報交換方法。
【請求項１１】
前記相手装置側に、前記携帯端末に対して情報の報知及び通信のいずれかを行うステップを含むことを特徴とする請求項９または請求項１０記載の情報交換方法。
【請求項１２】
前記携帯端末と前記相手装置との間で情報をやりとりして前記需要状況にて要求される物品及びサービスのいずれかを提供することを特徴とする請求項１０または請求項１１記載の情報交換方法。
【請求項１３】
前記携帯端末と前記相手装置との間でやりとりされる情報は、少なくとも前記物品及びサービスの在庫状態及び価格を示すことを特徴とする請求項１２記載の情報交換方法。
【発明の詳細な説明】
【０００１】
【発明の属する技術分野】
本発明は近距離無線を用いた情報交換システム、携帯端末及びそれらに用いる情報交換方法に関し、特に近距離無線を用いた商品等の売買に関する情報の交換方法に関する。
【０００２】
【従来の技術】
近年、インタネットの普及とともに、インタネット上での仮想店舗やオークション等の通信販売の形態をとる商品の売買方法が普及してきている。また、テレビショッピング等の通信販売も盛んに行われているが、商品の中には実際に手に取って購入したい場合が往々にして存在し、その場合には当該商品を扱っている店舗を街中に出て探し歩く必要がある。
【０００３】
実際に手に取って購入したい商品を扱う店舗を街中に出て探し歩く際に、店舗を発見して中に入ったとしても、目的のものがなく、店員に尋ねた挙句、関係のないものを勧められて余計な時間を割かなければならない。
【０００４】
この問題を解決する方法としては、携帯端末やＩＣ（集積回路）カードに搭載されたブルートゥース（Ｒ）等の近距離無線を用いる方法がある（例えば、特許文献１〜３参照）。
【０００５】
つまり、近距離無線を用いて情報交換や商品等の代金決済を行う方法を採用することで、携帯端末やＩＣカードによって店舗で扱う商品の情報を得ることが可能となる。
【０００６】
【特許文献１】
特開平０９−２６９９８２号公報（第４，５頁、図３）
【特許文献２】
特開２００２−１０９６１８号公報（第８，９頁、図１）
【特許文献３】
特開２００２−１６５００９号公報（第１２頁、図１）
【０００７】
【発明が解決しようとする課題】
上述した従来の情報交換方法では、上記の特許文献１〜３に記載のように、近距離無線を用いて情報交換や商品等の代金決済を行う方法の場合、店舗内におかれている商品の情報を知ることはできるが、現在、その商品の在庫があるかどうかを店舗毎に確認しなければならない、つまり店舗内に入って確認しなければならず、目的のものがなく、店員に尋ねた挙句、関係のないものを勧められて余計な時間を割くという問題もある。
【０００８】
そこで、本発明の目的は上記の問題点を解消し、欲しい商品やサービスを探す際の手間を省くことができる近距離無線を用いた情報交換システム、携帯端末及びそれらに用いる情報交換方法を提供することにある。
【０００９】
【課題を解決するための手段】
本発明による近距離無線を用いた情報交換システムは、近距離無線を使用して相手装置が発信する情報を携帯端末で受信する近距離無線を用いた情報交換システムであって、
前記相手装置が発信する情報を自端末に予め設定された需要状況に応じて選別する選別手段を前記携帯端末に備えている。
【００１０】
本発明による携帯端末は、近距離無線を使用して相手装置が発信する情報をで受信可能な携帯端末であって、前記相手装置が発信する情報を自端末に予め設定された需要状況に応じて選別する選別手段を備えている。
【００１１】
本発明による近距離無線を用いた情報交換方法は、近距離無線を使用して相手装置が発信する情報を携帯端末で受信するための情報交換方法であって、前記携帯端末側に、前記相手装置が発信する情報を自端末に予め設定された需要状況に応じて選別するステップを備えている。
【００１２】
すなわち、本発明の近距離無線を用いた情報交換システムは、個人と店舗との間の売買において、携帯端末を用いて事前に登録しておいた情報をやり取りし、互いの需給状況に応じて条件が合致した場合に携帯端末の所有者に通知することによって、欲しい商品やサービスを探す際の手間を省くことが可能となる。
【００１３】
つまり、本発明では、端末と店舗とが通信することによって在庫の問い合わせを行っているので、店舗に入らずに在庫の確認が可能となる。また、本発明では、前もってデータを入力するだけで携帯端末から通知されるので、自分が購入意欲のあるものであれば、能動的に探すことなく、その商品の入手が可能となる。
【００１４】
【発明の実施の形態】
次に、本発明の実施例について図面を参照して説明する。図１は本発明の一実施例による近距離無線を用いた情報交換システムの構成を示すブロック図である。図１において、本発明の一実施例による情報交換システムは互いに近距離無線にて情報交換が可能な携帯端末１と、店舗サーバ２とから構成されている。店舗サーバ２は携帯端末１と近距離無線にて情報交換を行うための近距離無線アンテナ２１を備えている。
【００１５】
携帯端末１はＰＤＡ（Ｐｅｒｓｏｎａｌ  Ｄｉｇｉｔａｌ  Ａｓｓｉｓｔａｎｔ）や携帯電話等の携帯端末装置であり、近距離無線にて店舗サーバ２から店舗にて扱っている物品、サービスの情報を取得する。
【００１６】
図２は図１の携帯端末１の構成を示すブロック図である。図２において、携帯端末１は情報表示部１１と、データ送受信部１２と、制御部１３と、近距離無線部１４と、データ保存部１５とを含んで構成されている。
【００１７】
近距離無線部１４及び店舗サーバ２の近距離無線アンテナ２１はその無線方式として共通の近距離無線方式を用いている。近距離無線方式方式としては、例えばブルートゥース（Ｒ）やＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１ａ，ＩＥＥＥ８０２．１１ｂ，ＩＥＥＥ８０２．１１ｅ，ＩＥＥＥ８０２．１１ｇ等が挙げられる。
【００１８】
店舗サーバ２にはその店舗の情報が入力されている。情報としては、例えば店舗内にて取り扱っている物品、サービスの種類やそれらの在庫、あるいは店舗の位置や連絡先等である。
【００１９】
図３は図１の携帯端末１の鳴動条件を示す図であり、図４及び図５は本発明の一実施例による基本的な情報の受信例を示す図であり、図６及び図７は本発明の一実施例による店舗の項目が多い場合の受信例を示す図である。これら図１〜図７を参照して本発明の一実施例による情報交換システムの動作について説明する。
【００２０】
携帯端末１を保有するユーザ（以下、ユーザａとする）は入手したい物品、もしくはサービスの情報を予め携帯端末１に入力しておくと、その情報がデータ保存部１５に保存される。
【００２１】
また、店舗サーバ２にはその店舗で取り扱いのある物品、サービス、それらの在庫等について入力されて保存されている。尚、これら店舗の物品、サービス、在庫情報は会計（レジ）と連動してリアルタイムに店舗サーバ２に反映することが望ましい。
【００２２】
図３に示すように、店舗Ａ，Ｂ及びユーザａが離れた場所にいる場合（場面＃１）、ユーザａの携帯端末１は近距離無線の送受信が不可能なため、鳴動しない。また、場面＃２に示すように、店舗Ａとユーザａとの通信が可能で、店舗Ｂとユーザａとの通信が不可能な場合、かつ店舗Ａとユーザａとの条件が一致しない場合についても、携帯端末１は鳴動しない。
【００２３】
場面＃３に示すように、店舗Ａ，Ｂ及び携帯端末１の通信が可能な状態で店舗Ａとユーザａとの条件が一致しない場合、携帯端末１は鳴動しないが、店舗Ｂとユーザａとの条件が一致した場合には携帯端末１が鳴動し、店舗Ｂが条件に一致したことをユーザａに通知する。
【００２４】
ユーザａが店舗近辺に来た場合に、携帯端末１の近距離無線部１３と店舗サーバ２の近距離無線アンテナ２１とが通信を行う。この場合には、基本的な通信手順を以下に示す。
【００２５】
店舗サーバ２は近距離無線アンテナ２１を通して店舗で在庫のある物品や現在提供可能なサービスの在庫や価格の一覧、及び店舗の位置を携帯端末１に報知する（図４の手順Ｓ１）。
【００２６】
携帯端末１は上記の手順Ｓ１にて近距離無線部１４で取得した情報と事前にユーザａが希望した物品もしくはサービスのリストとの照合を行う（図４の手順Ｓ１１）。携帯端末１は手順Ｓ１１にて合致する物品もしくはサービスがユーザａの購入希望個数、購入希望額に合致すると、上記の鳴動や情報表示部１１への表示等にて条件に合致するものがあることをユーザａに通知する（図４の手順Ｓ１２）。
【００２７】
これによって、ユーザａは上記の手順Ｓ１で取得した店舗の位置情報を基に店舗を訪れ、希望した物品もしくはサービスを得ることができる。上記の手順における店舗サーバ２と携帯端末１との間の情報のやりとりを図５に示す。
【００２８】
また、スーパマーケットのように、物品のリストが大量にある場合には、在庫情報や価格情報をも付加すると、店舗サーバ２と携帯端末１との間の通信量が多くなりすぎる。そのため、このような場合には以下に示すような手順をとる。
【００２９】
店舗サーバ２は近距離無線アンテナ２１を通して店舗内で在庫のある物品や現在提供可能なサービスの一覧、及び店舗の位置を携帯端末１に報知する（図６の手順Ｓ２１）。
【００３０】
携帯端末１は上記の手順Ｓ２１にて近距離無線部１４で取得した情報と事前にユーザａが希望した物品もしくはサービスのリストとの照合を行う（図６の手順Ｓ３１）。携帯端末１は手順Ｓ３２にて合致する物品もしくはサービスがあった場合、携帯端末１の近距離無線部１４からその物品もしくはサービスの詳細情報の要求を店舗サーバ２に送出する（図６の手順Ｓ３２）。
【００３１】
店舗サーバ２は携帯端末１から要求された物品もしくはサービスの詳細情報を携帯端末１に折り返し送信する（図６の手順Ｓ２２）。携帯端末１は近距離無線部１４で受取った情報がユーザａの購入希望個数、購入希望額に合致するかどうかを判断し、合致すると、上記の鳴動や情報表示部１１への表示等にて条件に合致するものがあることをユーザａに通知する（図６の手順Ｓ３３）。
【００３２】
これによって、ユーザａは上記の手順Ｓ２１で取得した店舗の位置情報を基に店舗を訪れ、希望した物品もしくはサービスを得ることができる。上記の手順における店舗サーバ２と携帯端末１との間の情報のやりとりを図７に示す。
【００３３】
このように、本実施例では、携帯端末１と店舗サーバ２が近距離無線にて通信し、在庫の問い合わせを行うことによって、店舗内に入らずに、在庫の確認が可能となる。
【００３４】
また、本実施例では、前もって携帯端末１にデータを入力するだけで、携帯端末１からその店舗に条件に合う商品やサービスがあるかどうかが通知されるので、自分が購入意欲のあるものであれば、能動的に探すことなく、その商品やサービスを入手することが可能である。
【００３５】
尚、本実施例に付加する形で、ユーザが欲しい物品もしくはサービスに対して携帯端末１がユーザに通知する優先度を設定可能とすることもできる。例えば、優先度の指標として対象の有無、量、価格等を設定可能とし、その条件の満足度合いに応じてユーザへの通知方法を変更する、つまり物品もしくはサービスが存在するだけの場合に振動のみとし、量や価格を満たす場合に振動及び音にてユーザに通知することができる。
【００３６】
また、図２に示す店舗サーバ２をインタネット（図示せず）に接続することで、近距離無線の範囲外から店舗を検索し、おおよその位置を特定後、店舗の近隣へ移動し、店舗サーバ２から携帯端末１に近距離無線にて通信を行い、ユーザが手にして確認したい物品もしくはサービスの最新状況を検索することも可能である。
【００３７】
尚、上述した携帯端末１の動作、つまり図４及び図６に示す処理は、制御部１３が、コンピュータで実行可能なプログラムを実行することで実現することができる。
【００３８】
図８は本発明の他の実施例による携帯端末同士での情報のやり取りを示す図である。図８において、本発明の他の実施例では、個人対店舗以外にも、携帯端末１ａ，１ｂ同士、つまり個人対個人で利用し、街行く人と需給状況に関するデータの交換を行い、交渉するといった利用法を実現する例を示している。
【００３９】
図９は本発明の別の実施例による企業と営業マンとの間での応用例を示す図である。図９において、本発明の別の実施例では、個人と店舗との関係を逆転し、企業と営業マンとのやりとりに応用する例を示している。
【００４０】
企業側が必要な資材、サービスを入力しておき、近距離無線にて報知する。その情報を通りがかりの営業マンが受信し、自分が扱っているものであれば、携帯端末が鳴動し、商談への足がかりとする。例えば、プリンタが遅くて困っている企業が、新しいプリンタに交換したいが各々の機種の比較を行うリサーチに割く予算もないといった状況で利用する。
【００４１】
他に、富山の置き薬のように、企業が特定の周波数、もしくは暗号化で近距離無線にて報知し、契約先の営業マンが通りがかった場合には在庫が減っていて、なおかつ自分に手持ちがあれば寄っていくといった使用法が考えられる。
【００４２】
また、本発明は、人が介在せず、機械同士（例えば、サーバ同士や情報端末同士等）での情報のやり取りとしてシステム化することも可能である。例えば、携帯端末を車に搭載して高速のパーキングエリアを出る際には、ガソリンが足りなければ、携帯端末に警告する等の使い方も可能である。この場合、車からガソリンスタンドには残走行距離を、ガソリンスタンドから車には最短のガソリンスタンドまでの距離を送信することで、携帯端末に警告することができる。
【００４３】
【発明の効果】
以上説明したように本発明は、上記のような構成及び動作とすることで、店舗内に入らずに、在庫の確認を行うことができ、欲しい商品やサービスを探す際の手間を省くことができるという効果が得られる。
【図面の簡単な説明】
【図１】本発明の一実施例による近距離無線を用いた情報交換システムの構成を示すブロック図である。
【図２】図１の携帯端末の構成を示すブロック図である。
【図３】図１の携帯端末の鳴動条件を示す図である。
【図４】本発明の一実施例による基本的な情報の受信例を示す図である。
【図５】本発明の一実施例による基本的な情報の受信例を示す図である。
【図６】本発明の一実施例による店舗の項目が多い場合の受信例を示す図である。
【図７】本発明の一実施例による店舗の項目が多い場合の受信例を示す図である。
【図８】本発明の他の実施例による携帯端末同士での情報のやり取りを示す図である。
【図９】本発明の別の実施例による企業と営業マンとの間での応用例を示す図である。
【符号の説明】
１，１ａ，１ｂ  携帯端末
２  店舗サーバ
１１  情報表示部
１２  データ送受信部
１３  制御部
１４  近距離無線部
１５  データ保存部
２１  近距離無線アンテナ
【図１】
2004343268.tif 000003
【図２】
2004343268.tif 000004
【図３】
2004343268.tif 000005
【図４】
2004343268.tif 000006
【図５】
2004343268.tif 000007
【図６】
2004343268.tif 000008
【図７】
2004343268.tif 000009
【図８】
2004343268.tif 000010
【図９】
2004343268.tif 000011